(57)【要約】      （修正有）【課題】  ループが付いた小型ぬいぐるみや裏側に安全ピンの付いた小型バッチなどの装飾体をユーザーが自由に付けたり外したりできる筆記具を提供する。【解決手段】  引っ掛け用のループ１７が付いた小型ぬいぐるみなどの装飾体１６を引っ掛けるために、クリップ３の付け根部３ｂから筆記具１の軸線に沿って上方に片腕型フック本体４ａを伸ばし、さらに引っ掛けた装飾体１６を片腕型フック本体４ａから外れにくくするために、片腕型フック本体４ａの裏側に、筆記具１の軸線方向を向いた１号突起９を突設させる。【選択図】図２
2006123489.tif 000002
【特許請求の範囲】
【請求項１】
筆記具（１）の軸（１ａ）またはキャップ本体（２ａ）の表面に弾性をもって設けられるクリップ（３）、そのクリップ（３）が付いた筆記具（１）の中間部より上方に、引っ掛け用のループ（１７）が付いた小型ぬいぐるみなどの装飾体（１６）を引っ掛けるための引っ掛け部材が付いた装飾体を取り付けられる筆記具。
【請求項２】
請求項１記載の引っ掛け部材にループ（１７）を引っ掛けたとき、前記引っ掛け部材の表面で、ループ（１７）と接触している部分の最上部が、クリップ（３）の付け根部（３ｂ）の下面と、筆記具（１）の軸（１ａ）またはキャップ本体（２ａ）との２号境界線（１９）から、筆記具（１）の軸線に沿って下方に７．１ｍｍの位置より上方にある、請求項１記載の装飾体を取り付けられる筆記具。
【請求項３】
請求項１記載の引っ掛け部材にループ（１７）を引っ掛けたとき、前記引っ掛け部材の表面で、ループ（１７）と接触している部分の最上部が、クリップ（３）の付け根部（３ｂ）の下面と、筆記具（１）の軸（１ａ）またはキャップ本体（２ａ）との２号境界線（１９）から、筆記具（１）の軸線に沿って下方に３．１ｍｍの位置より上方にある、請求項１記載の装飾体を取り付けられる筆記具。
【請求項４】
筆記具（１）の軸（１ａ）またはキャップ本体（２ａ）の表面に弾性をもって設けられるクリップ（３）、そのクリップ（３）の付け根部（３ｂ）より上方に、引っ掛け用のループ（１７）が付いた小型ぬいぐるみなどの装飾体（１６）を引っ掛けるための、引っ掛け部材が付いた装飾体を取り付けられる筆記具。
【請求項５】
筆記具（１）の軸（１ａ）またはキャップ本体（２ａ）の表面に弾性をもって設けられるクリップ（３）、そのクリップ（３）が付いた筆記具（１）の頂部表面に、引っ掛け用のループ（１７）が付いた小型ぬいぐるみなどの装飾体（１６）を引っ掛けるための引っ掛け部材が付いた装飾体を取り付けられる筆記具。
【請求項６】
筆記具（１）の軸（１ａ）またはキャップ本体（２ａ）の表面に弾性をもって設けられるクリップ（３）、そのクリップ（３）の付け根部（３ｂ）から筆記具（１）の軸線に沿って上方に伸びた片腕型フック本体（４ａ）とによって構成された、引っ掛け用のループ（１７）が付いた小型ぬいぐるみなどの装飾体（１６）を引っ掛けるための片腕型フック（４）がクリップ（３）と一体化して設けられた装飾体を取り付けられる筆記具。
【請求項７】
筆記具（１）の軸（１ａ）またはキャップ本体（２ａ）の表面に弾性をもって設けられるクリップ（３）、そのクリップ（３）の付け根部（３ｂ）から筆記具（１）の軸線に沿って上方に伸びた片腕型フック本体（４ａ）とによって構成された、引っ掛け用のループ（１７）が付いた小型ぬいぐるみなどの装飾体（１６）を引っ掛けるための片腕型フック（４）がクリップ（３）と一体化して設けられ、さらに、筆記具（１）の軸線方向を向いた、引っ掛けた装飾体（１６）を外れにくくするための１号突起（９）が、片腕型フック本体（４ａ）の裏側に突設された装飾体を取り付けられる筆記具。
【発明の詳細な説明】
【技術分野】
【０００１】  本発明は、小型ぬいぐるみや小型バッチなどの装飾体を、ユーザーが自由に付けたり外したりできる構造をもった筆記具に関するものである。
［背景技術］【０００２】  ボールペンやシャープペンシルといった筆記具には、衣服の胸ポケットやノートの表紙などに差して収納携帯できるように、軸またはキャップ本体の表面にクリップが付いていることが多い。【０００３】  （１）  クリップ付き筆記具の中には、クリップにキャラクターの絵柄などが入った装飾体を固着させて、ユーザーを楽しませるタイプのものがある。【０００４】  （２）  また、クリップ付き筆記具のクリップ本体の表側と、小型ぬいぐるみなどの装飾体の背面に、着脱自在テープ（面ファスナー）を接着、縫着（縫いつけること）などの方法で固着して、ユーザーが自由に装飾体を付け替えられるようにしたものも考えられる（この発明は本発明者が考えた。出願や商品化はしていない）。【０００５】  上記（１）の筆記具４０を図３２により説明する。この筆記具４０において、上とはノックボタン４２側を指し、下とはペン先４３側を指す。筆記具４０は軸４０ａの上部表面に付け根部４１ｂが設けられ、その付け根部４１ｂから筆記具４０の軸線に沿って下方に、板状部に貫通孔が形成されたクリップ本体４１ａが伸びている。クリップ本体４１ａは金属板材でできている。クリップ本体４１ａと付け根部４１ｂとを合わせてクリップ４１という。クリップ本体４１ａの板状部に形成された貫通孔は装飾体４４の背面に突設された突起４５を嵌合するためのものである。突起４５に少量の接着剤を塗布して嵌着したり、あるいは嵌合したあと、突起４５の先端部を焼き潰して抜けないようにするなどの方法で装飾体４４をクリップ本体４１ａに固着する。【０００６】  上記（２）の筆記具４６を図３３により説明する。この筆記具４６において、上とはノックボタン４８側を指し、下とはペン先４９側を指す。筆記具４６は軸４６ａの上部表面に付け根部４７ｂが設けられ、その付け根部４７ｂから筆記具４６の軸線に沿って下方に、クリップ本体４７ａが伸びている。クリップ本体４７ａと付け根部４７ｂとを合わせてクリップ４７という。クリップ本体４７ａの表側と、小型ぬいぐるみなどの装飾体５０の背面には、接着、縫着などの方法で着脱自在テープ５１が固着されている。ユーザーは自分で気に入った装飾体５０を買ってきて、その装飾体５０を筆記具４６のクリップ本体４７ａにくっつける。
［発明の開示］
［発明が解決しようとする課題］【０００７】  しかし、上記（１）のような、装飾体をクリップに固着させるタイプの筆記具は、いったん、クリップに装飾体を固着してしまうと外すことができない。そのため、ユーザーは装飾体を付け替えて楽しむことができない。【０００８】  これに対し、上記（２）のような、着脱自在テープを利用して装飾体をくっつけるタイプの筆記具は、ユーザーが自分で装飾体を付け替えることができる。【０００９】  しかし、このようなタイプの筆記具には、クリップ本体と装飾体の両方に、あらかじめ着脱自在テープを接着、縫着などの方法で固着しておくという加工が必要である。【００１０】  そのため、以下のような欠点が生じる。【００１１】  ▲１▼  着脱自在テープを接着、縫着などの方法でクリップ本体や装飾体に固着するという加工をした分、製造工程が複雑になり、該筆記具と該装飾体のコストがかさむ。【００１２】  ▲２▼  上記のような加工をした装飾体は、単独だと背面の着脱自在テープがムキ出しになるので、外観意匠的に美しくなく、そのため、該筆記具のクリップにくっつけるという用途以外の用途で販売することが難しい。【００１３】  ▲３▼  装飾体を外した状態で該筆記具を衣服の胸ポケットなどに差すと、クリップ本体に固着してある着脱自在テープがムキ出しになってしまい、外観意匠的に美しくない。【００１４】  また、上記（１）、（２）両方の筆記具に言えることだが、クリップ本体に、そのクリップ本体の全部または大部分と重なる、固くて厚みのある装飾体を付けることができない。なぜなら、そのような装飾体を該クリップ本体に付けてしまうと、該クリップ本体がしなることができず、弾性が失われてしまうからだ。弾性が失われると、衣服の胸ポケットやノートの表紙に差しても、ポケットの布や表紙の紙を充分に挟持（はさんでしめること）することができず、すぐに抜けるクリップになってしまう。【００１５】  本発明は上記の問題を解決し、引っ掛け用のループが付いた小型ぬいぐるみや裏側に安全ピンの付いた小型バッチなどの装飾体をユーザーが自由に付けたり外したりできる構造をもった、装飾体を取り付けられる筆記具を提供することを目的とする。
［課題を解決するための手段］【００１６】  上記の目的を達成するために、以下のような発明を提案する。【００１７】  （１）  筆記具１の軸１ａまたはキャップ本体２ａの表面に弾性をもって設けられるクリップ３、そのクリップ３が付いた筆記具１の中間部より上方に、引っ掛け用のループ１７が付いた小型ぬいぐるみなどの装飾体１６を引っ掛けるための引っ掛け部材が付いた装飾体を取り付けられる筆記具。【００１８】  （２）  上記（１）記載の引っ掛け部材にループ１７を引っ掛けたとき、前記引っ掛け部材の表面で、ループ１７と接触している部分の最上部が、クリップ３の付け根部３ｂの下面と、筆記具１の軸１ａまたはキャップ本体２ａとの２号境界線１９から、筆記具１の軸線に沿って下方に７．１ｍｍの位置より上方にある、上記（１）記載の装飾体を取り付けられる筆記具。ここでいう７．１ｍｍの位置より上方とは、クリップ３の付け根部３ｂに近いほうの、筆記具１の軸１ａまたはキャップ２の端部側を上にして、筆記具１を縦方向に２号境界線１９から筆記具１の軸線に沿って下方に７．１ｍｍの位置まで水に沈めたとき、筆記具１の、水面より上に出ている部分をいう。【００１９】  （３）  上記（１）記載の引っ掛け部材にループ１７を引っ掛けたとき、前記引っ掛け部材の表面で、ループ１７と接触している部分の最上部が、クリップ３の付け根部３ｂの下面と、筆記具１の軸１ａまたはキャップ本体２ａとの２号境界線１９から、筆記具１の軸線に沿って下方に３．１ｍｍの位置より上方にある、上記（１）記載の装飾体を取り付けられる筆記具。ここでいう３．１ｍｍの位置より上方とは、クリップ３の付け根部３ｂに近いほうの、筆記具１の軸１ａまたはキャップ２の端部側を上にして、筆記具１を縦方向に２号境界線１９から筆記具１の軸線に沿って下方に３．１ｍｍの位置まで水に沈めたとき、筆記具１の、水面より上に出ている部分をいう。【００２０】  （４）  筆記具１の軸１ａまたはキャップ本体２ａの表面に弾性をもって設けられるクリップ３、そのクリップ３の付け根部３ｂより上方に、引っ掛け用のループ１７が付いた小型ぬいぐるみなどの装飾体１６を引っ掛けるための引っ掛け部材が付いた装飾体を取り付けられる筆記具。ここでいう付け根部３ｂより上方という表現に、付け根部３ｂは含まれる。【００２１】  （５）  筆記具１の軸１ａまたはキャップ本体２ａの表面に弾性をもって設けられるクリップ３、そのクリップ３が付いた筆記具１の頂部表面に、引っ掛け用のループ１７が付いた小型ぬいぐるみなどの装飾体１６を引っ掛けるための引っ掛け部材が付いた装飾体を取り付けられる筆記具。【００２２】  （６）  筆記具１の軸１ａまたはキャップ本体２ａの表面に弾性をもって設けられるクリップ３、そのクリップ３の付け根部３ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４がクリップ３と一体化して設けられた装飾体を取り付けられる筆記具。【００２３】  （７）  筆記具１の軸１ａまたはキャップ本体２ａの表面に弾性をもって設けられるクリップ３、そのクリップ３の付け根部３ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４がクリップ３と一体化して設けられ、さらに、筆記具１の軸線方向を向いた、引っ掛けた装飾体１６を外れにくくするための１号突起９が、片腕型フック本体４ａの裏側に突設された装飾体を取り付けられる筆記具。
［発明の実施の形態］【００２４】  以下、図に基づき本発明の実施の形態を詳細に説明する。【００２５】  （用語の定義）  本発明において、「上」とは、クリップ３の付け根部３ｂに近いほうの、筆記具１の軸１ａまたはキャップ２の端部側を指し、「下」とは、クリップ３の付け根部３ｂから遠いほうの、筆記具１の軸１ａまたはキャップ２の端部側を指す。別の言いかたをすると、ワイシャツの胸ポケットにクリップ３を使って筆記具１を差したとき、胸ポケットの口から出ているほうの、筆記具１の軸１ａまたはキャップ２の端部側が「上」で、胸ポケットの底に入っているほうの、筆記具１の軸１ａまたはキャップ２の端部側が「下」である。【００２６】  （用語の定義）  本発明において、「クリップ３」とは、筆記具１の軸１ａまたはキャップ本体２ａの表面に弾性をもって設けられる、衣服の胸ポケットなどに差すための、横から見ると略逆Ｌ字形の部材を指す。【００２７】  このクリップ３は付け根部３ｂと、その付け根部３ｂから筆記具１の軸線に沿って下方に伸びたクリップ本体３ａとによって構成されている。前記略逆Ｌ字形のＬの縦棒部分がクリップ本体３ａ、横棒部分が付け根部３ｂである。【００２８】  クリップ３の中には、前記略逆Ｌ字形のＬの角の部分が湾曲しているタイプのものも含まれる。このタイプのクリップ３は、クリップ本体３ａと付け根部３ｂとの境界が明確ではない。そのため、実質的には１つの部材に見える。しかし、このタイプのクリップ３も実際にはクリップ本体３ａと付け根部３ｂという２つの部材により構成されている。蛇の首と腹との境界が明確ではなくても、蛇の体には首も腹もあるのと同じである。【００２９】  （用語の定義）  本発明において、「付け根部３ｂ」とは、筆記具１の軸１ａまたはキャップ本体２ａと、クリップ本体３ａとを連結している部材を指す。付け根部３ｂから上方に片腕型フック本体４ａが伸びているかどうかは関係がなく、クリップ本体３ａが伸びていれば、その部分は付け根部３ｂである。【００３０】  （用語の定義）  本発明において、「引っ掛け部材」とは、引っ掛け用のループ１７が付いた小型ぬいぐるみなどの装飾体１６を引っ掛けるための、筆記具１に設けられたフックまたはフック機能的突起を指す。【００３１】  （用語の定義）  本発明において、「フック」とは、ループ１７が付いた小型ぬいぐるみなどの装飾体１６を、単独で引っ掛けることのできる、筆記具１に設けられた部材を指す。例えば、片腕型フック４、鬼の角型フック５、張り出し型フック６をいう。【００３２】  （用語の定義）  本発明において、「片腕型フック４」とは、引っ掛け用のループ１７が付いた小型ぬいぐるみなどの装飾体１６を引っ掛けるための、筆記具１に設けられた１本の棒状部材でできたフックをいう。【００３３】  ここでいう棒状部材は蛇のように細長いという意味で、直線状であるか、曲線状であるかを問わない。従って、片腕型フック４は１本の棒状部材でできていて、装飾体１６を引っ掛けることができるのなら、その形状は自由である。Ｌ字状だけでなく、直線上であっても、逆し字状であっても、その他どんな形状であっても構わない。【００３４】  例えば、コイル状だとか、先端がキリンの頭部の��ニチュアになっているものも含まれる。【００３５】  また、片腕型フック４は一体成形で形成したものでも、別体のものを一体にしたものでも構わない。【００３６】  さらに、片腕型フック４にはクリップ本体３ａなどの別の部材が付いていても構わない。【００３７】  （用語の定義）  本発明において、「片腕型フック専用付け根部４ｂ」とは、筆記具１の軸１ａまたはキャップ本体２ａと、片腕型フック本体４ａとを連結している部材で、かつ、クリップ本体３ａとは繋がっていない部材を指す。【００３８】  （用語の定義）  本発明において、「鬼の角型フック５」とは、１本の１号角部５ａと、その隣に立っている１本の２号角部５ｂとによって構成された、引っ掛け用のループ１７が付いた小型ぬいぐるみなどの装飾体１６を引っ掛けるための、筆記具１の軸１ａまたはキャップ本体２ａの頂部表面に設けられた部材を指す。【００３９】  （用語の定義）  本発明において、「張り出し型フック６」とは、引っ掛け用のループ１７が付いた小型ぬいぐるみなどの装飾体１６を引っ掛けるための、筆記具１のクリップ本体３ａの両側面から張り出した部材を指す。【００４０】  つまり、クリップ本体３ａの表側を人間の顔とすると耳にあたる部分をいう。張り出した部分のみが張り出し型フック６で、中央を通るクリップ本体３ａは張り出し型フック６には含まれない。【００４１】  張り出し型フック６はクリップ本体３ａの両側面から張り出していることが望ましいが、フックとしての機能を果たせるのなら、どちらか片側だけから張り出す形状であっても構わない。【００４２】  （用語の定義）  本発明において、「フック機能的突起」とは、引っ掛け用のループ１７が付いた小型ぬいぐるみなどの装飾体１６を、対向してなる部材と対（つい）で引っ掛けることのできる、筆記具１の軸１ａまたはキャップ本体２ａの表面やクリップ本体３ａの裏側やひさし部７の下面に突設された突起を指す。例えば、１号フック機能的突起１０、２号フック機能的突起１２、３号フック機能的突起１５をいう。【００４３】  フックとフック機能的突起の違いは、前者が単独で、引っ掛け用のループ１７が付いた小型ぬいぐるみなどの装飾体１６を引っ掛けることができるのに対し、後者は単独では引っ掛けることができず、引っ掛けるためには前記フック機能的突起と対向してなる部材の存在が必要ということである。【００４４】  例えば、片腕型フック４はそれだけで、引っ掛け用のループ１７が付いた小型ぬいぐるみなどの装飾体１６を引っ掛けることができるが、２号フック機能的突起１２は対向してなる部材（クリップ本体３ａまたは１号フック機能的突起１０）が存在しなければ、引っ掛けることができない。【００４５】  （用語の定義）  本発明において、「装飾体１６」とは、引っ掛けるためのループ１７が付いた小型ぬいぐるみや小型人形や小型オブジェと、裏側に安全ピンが付いた小型バッチや名札や小型ぬいぐるみや小型人形や小型オブジェなどを指す。小型オブジェとは、ぬいぐるみと人形以外の小型立体造形物のこと。例えば、全長３ｃｍのクリスマスツリーのミニチュアとか、全長５ｃｍのこうもり傘のミニチュアといった携帯ストラップの飾りになりそうなものを指す。ループ１７とは、細い紐や太い糸や細い鎖などでできた、前記引っ掛け部材に引っ掛けるための小さな輪をいう。【００４６】  （実施の形態１）  実施の形態１に係る装飾体を取り付けられる筆記具は、筆記具１の軸１ａまたはキャップ本体２ａの表面に弾性をもって設けられるクリップ３、そのクリップ３の付け根部３ｂと、その付け根部３ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４、その片腕型フック４がクリップ３と一体化して設けられ、さらに、筆記具１の軸線方向を向いた、引っ掛けた装飾体１６を外れにくくするための１号突起９が、片腕型フック本体４ａの裏側に突設されたものである。【００４７】  上記、実施の形態１を分かりやすく説明すると、次のようになる。【００４８】  筆記具１の軸１ａまたはキャップ本体２ａの表面に付け根部３ｂが設けてある。【００４９】  その付け根部３ｂから筆記具１の軸線に沿って上方に片腕型フック本体４ａ、下方にクリップ本体３ａが伸びている。付け根部３ｂと片腕型フック本体４ａとクリップ本体３ａとを横から見ると略ト字形に繋がっている。トの縦棒の上半分が片腕型フック本体４ａ、縦棒の下半分がクリップ本体３ａ、横棒が付け根部３ｂである。【００５０】  付け根部３ｂと片腕型フック本体４ａとを合わせて片腕型フック４という。付け根部３ｂとクリップ本体３ａとを合わせてクリップ３という。つまり、１本の付け根部３ｂを片腕型フック４とクリップ３が共有しており、片腕型フック４とクリップ３は一体化している。【００５１】  片腕型フック本体４ａの裏側には、筆記具１の軸線方向を向いた１号突起９が突設してある。以上の構成からなる装飾体を取り付けられる筆記具。【００５２】  図１は本発明の実施の形態１に適用する筆記具１の側面図である。【００５３】  図２は図１の筆記具１に装飾体１６を取り付けた状態の側面図である。【００５４】  図３は装飾体１６の斜視図である。この装飾体１６は小型ぬいぐるみで、うなじに引っ掛け用のループ１７が付いている。【００５５】  筆記具１に装飾体１６を取り付ける方法について説明する。【００５６】  装飾体１６に付いているループ１７を片腕型フック本体４ａに引っ掛ける。そのまま、装飾体１６を付け根部３ｂ方向に引っ張り、ループ１７が付け根部３ｂと１号突起９の間に来るようにする。【００５７】  そうすると、装飾体１６は片腕型フック４に掛止される。１号突起９が邪魔するので、装飾体１６は片腕型フック４から外れない。【００５８】  装飾体１６を外すときは、装飾体１６を付け根部３ｂとは反対の方向に引っ張ればよい。そうすると、ループ１７が１号突起９を越えて、片腕型フック４から外れる。【００５９】  筆記具１の材料と製造法と組み立て方法を一例を挙げて説明する。【００６０】  軸１ａの材料はＡＳ樹脂（スチレンとアクリロニトリルとのランダム共重合体）である。軸１ａの頂部に別体としてあるノックボタンの材料はＰＣ（ポリカーボネート樹脂）である。付け根部３ｂ、クリップ本体３ａ、片腕型フック本体４ａ、１号突起９の材料はＰＣである。【００６１】  付け根部３ｂ、クリップ本��３ａ、片腕型フック本体４ａ、１号突起９は射出成形による一体成形品である。付け根部３ｂの軸１ａへの接合方法は圧入である。【００６２】  付け根部３ｂ、クリップ本体３ａ、片腕型フック本体４ａ、１号突起９を射出成形による一体成形品とした場合、筆記具１の製造工程数は従来品の製造工程数と変わらないので、コスト高にならない。ここでいう従来品とは、前記引っ掛け部材の付いていない、クリップ付き筆記具のことである。【００６３】  図４は本発明の実施の形態１に適用する別の筆記具１の側面図である。【００６４】  この筆記具１は付け根部３ｂから筆記具１の軸線に沿って上方に伸びた片腕型フック本体４ａが、そのまま軸１ａまたはキャップ本体２ａの頂部表面に沿って伸び、軸１ａまたはキャップ本体２ａの背面に近接した状態で達していて、さらに、筆記具１の軸１ａまたはキャップ本体２ａの表面方向を向いた、引っ掛けた装飾体１６を外れにくくするための１号突起９が片腕型フック本体４ａの裏側に突設されている。【００６５】  ここでいう「軸１ａまたはキャップ本体２ａの背面」とは、筆記具１の軸線を中心として、筆記具１の付け根部３ｂのある側と反対側の軸１ａまたはキャップ本体２ａの表面をいう。別の言いかたをすると、筆記具１の軸１ａまたはキャップ本体２ａを人間の頭部とし、付け根部３ｂを鼻とすると、脳天からうなじにあたる部分をいう。【００６６】  （実施の形態２）  実施の形態２に係る装飾体を取り付けられる筆記具は、筆記具１の軸１ａまたはキャップ本体２ａの表面に弾性をもって設けられるクリップ３、そのクリップ３の付け根部３ｂから筆記具１の軸線に沿って下方に伸びたクリップ本体３ａ、そのクリップ本体３ａの裏側の、付け根部３ｂの下面とクリップ本体３ａとの１号境界線１８からクリップ本体３ａの裏側の先端方向へ７．１ｍｍ以内の、好ましくは５．１ｍｍ以内の、さらに好ましくは３．１ｍｍ以内の距離を置いた位置に、筆記具１の軸線方向を向いた、引っ掛け用のループ１７が付いた小型ぬいぐるみなどの装飾体１６を、筆記具１に引っ掛け、かつ、外れにくくするための１号フック機能的突起１０が突設されたものである。【００６７】  上記、実施の形態２を分かりやすく説明すると、次のようになる。【００６８】  筆記具１の軸１ａまたはキャップ本体２ａの表面に付け根部３ｂが設けてある。【００６９】  その付け根部３ｂから筆記具１の軸線に沿って下方にクリップ本体３ａが伸びている。付け根部３ｂとクリップ本体３ａとを横から見ると略逆Ｌ字形に繋がっている。Ｌの横棒が付け根部３ｂ、縦棒がクリップ本体３ａである。【００７０】  付け根部３ｂとクリップ本体３ａとを合わせてクリップ３という。【００７１】  クリップ本体３ａの裏側の、付け根部３ｂの下面とクリップ本体３ａとの１号境界線１８からクリップ本体３ａの先端方向へ７．１ｍｍ以内の、好ましくは５．１ｍｍ以内の、さらに好ましくは３．１ｍｍ以内の距離を置いた位置に、筆記具１の軸線方向を向いた、装飾体１６を筆記具１に引っ掛け、かつ、外れにくくするための１号フック機能的突起１０が突設してある。【００７２】  筆記具１に装飾体１６を引っ掛けたとき、装飾体１６はクリップ本体３ａの表側全体を覆う位置に��ることが望ましい。なぜなら、その位置に装飾体１６がくれば、クリップ本体３ａが装飾体１６の影に隠れるので、筆記具１を衣服の胸ポケットなどに差したとき、外観意匠的に美しく見えるからだ。それゆえ、１号境界線１８と１号フック機能的突起１０との距離は短いほうが望ましい。具体的には７．１ｍｍ以内、好ましくは５．１ｍｍ以内、より好ましくは３．１ｍｍ以内である。【００７３】  クリップ３の折曲部（クリップ３を軸１ａまたはキャップ本体２ａから生えた腕だとすれば、脇の下にあたる部分）の断面がコ字形になっていない場合は、前記折曲部の最上部を１号境界線１８とする。以上の構成からなる装飾体を取り付けられる筆記具。【００７４】  図５は本発明の実施の形態２に適用する筆記具１の側面図である。クリップ３の折曲部の断面がコ字形になっている。【００７５】  図６は本発明の実施の形態２に適用する別の筆記具１の側面図である。クリップ３の折曲部の断面がコ字形ではなく逆Ｕ字形になっている。【００７６】  （実施の形態３）  実施の形態３に係る装飾体を取り付けられる筆記具は、筆記具１の軸１ａまたはキャップ本体２ａの表面に弾性をもって設けられるクリップ３、そのクリップ３の付け根部３ｂと、その付け根部３ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４、その片腕型フック４がクリップ３と一体化して設けられ、さらに、片腕型フック本体４ａの裏側方向を向いた、引っ掛けた装飾体１６を外れにくくするための２号突起１１が、筆記具１の軸１ａまたはキャップ本体２ａの表面の、クリップ３の付け根部３ｂより上方の位置に突設されたものである。【００７７】  上記、実施の形態３を分かりやすく説明すると、次のようになる。【００７８】  筆記具１の軸１ａまたはキャップ本体２ａの表面に付け根部３ｂが設けてある。【００７９】  その付け根部３ｂから筆記具１の軸線に沿って上方に片腕型フック本体４ａ、下方にクリップ本体３ａが伸びている。付け根部３ｂと片腕型フック本体４ａとクリップ本体３ａとを横から見ると略ト字形に繋がっている。トの縦棒の上半分が片腕型フック本体４ａ、下半分がクリップ本体３ａ、横棒が付け根部３ｂである。【００８０】  付け根部３ｂと片腕型フック本体４ａとを合わせて片腕型フック４という。付け根部３ｂとクリップ本体３ａとを合わせてクリップ３という。つまり、１本の付け根部３ｂを片腕型フック４とクリップ３が共有しており、片腕型フック４とクリップ３は一体化している。【００８１】  筆記具１の軸１ａまたはキャップ本体２ａの表面の、クリップ３の付け根部３ｂより上方の位置に、片腕型フック本体４ａの裏側方向を向いた２号突起１１が突設してある。以上の構成からなる装飾体を取り付けられる筆記具。【００８２】  図７は本発明の実施の形態３に適用する筆記具１の側面図である。【００８３】  （実施の形態４）  実施の形態４に係る装飾体を取り付けられる筆記具は、筆記具１の軸１ａまたはキャップ本体２ａの表面に弾性をもって設けられるクリップ３、そのクリップ３の付け根部３ｂから筆記具１の軸線に沿って下方に伸びたクリップ本体３ａ、そのクリップ本体３ａの裏側方向を向いた、引っ掛け用のループ１７が付いた小型ぬいぐるみなどの装飾体１６を、筆記具１に引っ掛け、かつ、外れにくくするための２号フック機能的突起１２が、筆記具１の軸１ａまたはキャップ本体２ａの表面の、クリップ３の付け根部３ｂの下面と、筆記具１の軸１ａまたはキャップ本体２ａとの２号境界線１９から筆記具１の軸線に沿って下方に７．１ｍｍ以内、好ましくは５．１ｍｍ以内、さらに好ましくは３．１ｍｍ以内の距離を置いた位置に突設されたものである。【００８４】  上記、実施の形態４を分かりやすく説明すると、次のようになる。【００８５】  筆記具１の軸１ａまたはキャップ本体２ａの表面に付け根部３ｂが設けてある。【００８６】  その付け根部３ｂから筆記具１の軸線に沿って下方にクリップ本体３ａが伸びている。付け根部３ｂとクリップ本体３ａとを横から見ると略逆Ｌ字形に繋がっている。Ｌの横棒が付け根部３ｂ、縦棒がクリップ本体３ａである。【００８７】  付け根部３ｂとクリップ本体３ａとを合わせてクリップ３という。【００８８】  クリップ３の付け根部３ｂの下面と、筆記具１の軸１ａまたはキャップ本体２ａとの境界線を２号境界線１９という。この２号境界線１９から筆記具１の軸線に沿って下方に７．１ｍｍ以内、好ましくは５．１ｍｍ以内、さらに好ましくは３．１ｍｍ以内の距離を置いた位置の、軸１ａまたはキャップ本体２ａの表面に２号フック機能的突起１２が突設されている。【００８９】  クリップ３の折曲部の断面がコ字形になっていない場合は、前記折曲部の最上部を２号境界線１９とする。以上の構成からなる装飾体を取り付けられる筆記具。【００９０】  図８は本発明の実施の形態４に適用する筆記具１の側面図である。クリップ３の折曲部の断面がコ字形になっている。【００９１】  図９は本発明の実施の形態４に適用する別の筆記具１の側面図である。クリップ３の折曲部の断面が逆Ｕ字形になっている。【００９２】  （実施の形態５）  実施の形態５に係る装飾体を取り付けられる筆記具は、実施の形態１記載の１号突起９と対向してなる、引っ掛けた装飾体１６を外れにくくするための２号突起１１が、筆記具１の軸１ａまたはキャップ本体２ａの表面に突設された、実施の形態１記載のものである。【００９３】  図１０は本発明の実施の形態５に適用する筆記具１の側面図である。【００９４】  （実施の形態６）  実施の形態６に係る装飾体を取り付けられる筆記具は、実施の形態２記載の１号フック機能的突起１０と対向してなる、装飾体１６を引っ掛け、かつ、外れにくくするための２号フック機能的突起１２が、筆記具１の軸１ａまたはキャップ本体２ａの表面に突設された、実施の形態２記載のものである。【００９５】  クリップ３の折曲部の断面がコ字形になっていない場合は、前記折曲部の最上部を１号境界線１８で、かつ、２号境界線１９とする。つまり、この場合、１号境界線１８と２号境界線１９は同じものである。【００９６】  図１１は本発明の実施の形態６に適用する筆記具１の側面図である。【００９７】  （実施の形態７）  実施の形態７に係る装飾体を取り付けられる筆記具は、筆記具１の軸１ａまたはキャップ本体２ａの表面に��性をもって設けられるクリップ３、そのクリップ３の付け根部３ｂより上方で、筆記具１の軸１ａまたはキャップ本体２ａの表面に、片腕型フック専用付け根部４ｂと、その片腕型フック専用付け根部４ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４が設けられ、さらに、筆記具１の軸線方向を向いた、引っ掛けた装飾体１６を外れにくくするための３号突起１３が、片腕型フック本体４ａの裏側に突設されたものである。【００９８】  上記、実施の形態７を分かりやすく説明すると、次のようになる。【００９９】  筆記具１の軸１ａまたはキャップ本体２ａの表面にクリップ３が設けてある。そのクリップ３の付け根部３ｂより上方の、筆記具１の軸１ａまたはキャップ本体２ａの表面に、片腕型フック専用付け根部４ｂが設けてある。【０１００】  その片腕型フック専用付け根部４ｂから筆記具１の軸線に沿って上方に片腕型フック本体４ａが伸びている。片腕型フック専用付け根部４ｂと片腕型フック本体４ａとを合わせて片腕型フック４という。【０１０１】  片腕型フック本体４ａの裏側には、筆記具１の軸線方向を向いた３号突起１３が突設してある。以上の構成からなる装飾体を取り付けられる筆記具。【０１０２】  図１２は本発明の実施の形態７に適用する筆記具１の側面図である。【０１０３】  （実施の形態８）  実施の形態８に係る装飾体を取り付けられる筆記具は、筆記具１の軸１ａまたはキャップ本体２ａの表面に弾性をもって設けられるクリップ３、そのクリップ３の付け根部３ｂより上方で、筆記具１の軸１ａまたはキャップ本体２ａの表面に、片腕型フック専用付け根部４ｂと、その片腕型フック専用付け根部４ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４が設けられ、さらに、片腕型フック本体４ａの裏側方向を向いた、引っ掛けた装飾体１６を外れにくくするための４号突起１４が、筆記具１の軸１ａまたはキャップ本体２ａの表面の、片腕型フック専用付け根部４ｂより上方の位置に突設されたものである。【０１０４】  上記、実施の形態８を分かりやすく説明すると、次のようになる。【０１０５】  筆記具１の軸１ａまたはキャップ本体２ａの表面にクリップ３が設けてある。そのクリップ３の付け根部３ｂより上方の、筆記具１の軸１ａまたはキャップ本体２ａの表面に、片腕型フック専用付け根部４ａが設けてある。【０１０６】  その片腕型フック専用付け根部４ｂから筆記具１の軸線の沿って上方に片腕型フック本体４ａが伸びている。片腕型フック専用付け根部４ｂと片腕型フック本体４ａとを合わせて片腕型フック４という。【０１０７】  片腕型フック専用付け根部４ｂより上方で、筆記具１の軸１ａまたはキャップ本体２ａの表面に、片腕型フック本体４ａの裏側方向を向いた４号突起１４が突設してある。以上の構成からなる装飾体を取り付けられる筆記具。【０１０８】  図１３は本発明の実施の形態８に適用する筆記具１の側面図である。【０１０９】  （実施の形態９）  実施の形態９に係る装飾体を取り付けられる筆記具は、実施の形態７記載の３号突起１３と対向してなる、引っ掛けた装飾体１６を外れにくくするための４号突起１４が、筆記具１の軸１ａまたはキャップ本体２ａの表面に突設された、実施の形態７記載のものである。【０１１０】  図１４は本発明の実施の形態９に適用する筆記具１の側面図である。【０１１１】  （実施の形態１０）  実施の形態１０に係る装飾体を取り付けられる筆記具は、筆記具１の軸１ａまたはキャップ本体２ａの表面に弾性をもって設けられるクリップ３、そのクリップ３の付け根部３ｂと、その付け根部３ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４、その片腕型フック４がクリップ３と一体化して設けられ、さらに、引っ掛けた装飾体１６を外れにくくするために、片腕型フック本体４ａの幅が、上に向かう途中から広くなっているものである。【０１１２】  上記、実施の形態１０を分かりやすく説明すると、次のようになる。【０１１３】  筆記具１の軸１ａまたはキャップ本体２ａの表面に付け根部３ｂが設けてある。【０１１４】  その付け根部３ｂから筆記具１の軸線に沿って上方に片腕型フック本体４ａ、下方にクリップ本体３ａが伸びている。付け根部３ｂと片腕型フック本体４ａと下方にクリップ本体３ａが伸びている。付け根部３ｂと片腕型フック本体４ａとクリップ本体３ａとを横から見ると略ト字形に繋がっている。トの縦棒の上半分が片腕型フック本体４ａ、縦棒の下半分がクリップ本体３ａ、横棒が付け根部３ｂである。【０１１５】  付け根部３ｂと片腕型フック本体４ａとを合わせて片腕型フック４という。付け根部３ｂとクリップ本体３ａとを合わせてクリップ３という。つまり、１本の付け根部３ｂを片腕型フック４とクリップ３が共有しており、片腕型フック４とクリップ３は一体化している。【０１１６】  引っ掛けた装飾体１６を外れにくくするために、片腕型フック本体４ａの幅がウチワ状、Ｔ字状、矢印状などのように、上に向かう途中から広くなっている。【０１１７】  片腕型フック本体４ａの形状はウチワ状、Ｔ字状、矢印状に限定される訳ではない。装飾体１６が外れにくくなるように、上に向かう途中から幅が広くなっていればよい。以上の構成からなる装飾体を取り付けられる筆記具。【０１１８】  図１５は本発明の実施の形態１０に適用する筆記具１の斜視図である。【０１１９】  （実施の形態１１）  実施の形態１１に係る装飾体を取り付けられる筆記具は、筆記具１の軸１ａまたはキャップ本体２ａの表面に弾性をもって設けられるクリップ３、そのクリップ３の付け根部３ｂから筆記具１の軸線に沿って下方に伸びたクリップ本体３ａ、そのクリップ本体３ａの裏側と付け根部３ｂの下面との１号境界線１８からクリップ本体３ａの先端方向へ７．１ｍｍ以内、好ましくは５．１ｍｍ以内、より好ましくは３．１ｍｍ以内の距離を置いた位置から、引っ掛け用のループ１７が付いた小型ぬいぐるみなどの装飾体１６を引っ掛け、かつ、外れにくくするための張り出し型フック６がクリップ本体３ａの両側面から張り出してい���ものである。【０１２０】  上記、実施の形態１１を分かりやすく説明すると、次のようになる。【０１２１】  筆記具１の軸１ａまたはキャップ本体２ａの表面に付け根部３ｂが設けてある。【０１２２】  その付け根部３ｂから筆記具１の軸線に沿って下方にクリップ本体３ａが伸びている。付け根部３ｂとクリップ本体３ａとを横から見ると略逆Ｌ字形に繋がっている。Ｌの横棒が付け根部３ｂ、縦棒がクリップ本体３ａである。【０１２３】  付け根部３ｂとクリップ本体３ａとを合わせてクリップ３という。【０１２４】  クリップ本体３ａの裏側と付け根部３ｂの下面との１号境界線１８、その１号境界線１８からクリップ本体３ａの先端方向へ７．１ｍｍ以内、好ましくは５．１ｍｍ以内、より好ましくは３．１ｍｍ以内の距離を置いた位置から、装飾体１６を引っ掛け、かつ、外れにくくするための張り出し型フック６がクリップ本体３ａの両側面から張り出している。【０１２５】  張り出し型フック６はクリップ本体３ａを飛行機の胴体だとすると主翼にあたる部分をいう。張り出した部分のみが張り出し型フック６で、中央を通るクリップ本体３ａは張り出し型フック６には含まれない。【０１２６】  張り出し型フック６はクリップ本体３ａの両側面から張り出していることが望ましいが  フックとしての機能を果たせるのなら、どちらか片側だけから張り出す形状であっても構わない。【０１２７】  クリップ３の折曲部の断面がコ字形になっていない場合は、前記折曲部の最上部を１号境界線１８とする。以上の構成からなる装飾体を取り付けられる筆記具。【０１２８】  図１６は本発明の実施の形態１１に適用する筆記具１の斜視図である。【０１２９】  （実施の形態１２）  実施の形態１２に係る装飾体を取り付けられる筆記具は、筆記具１の軸１ａまたはキャップ本体２ａの表面に弾性をもって設けられるクリップ３、そのクリップ３の付け根部３ｂより上方で、筆記具１の軸１ａまたはキャップ本体２ａの表面に、片腕型フック専用付け根部４ｂと、その片腕型フック専用付け根部４ｂから筆記具１の軸線に沿って上方に伸びた片腕型フック本体４ａとによって構成された、引っ掛け用のループ１７が付いた小型ぬいぐるみなどの装飾体１６と引っ掛けるための片腕型フック４が設けられ、さらに、引っ掛けた装飾体１６を外れにくくするために、片腕型フック本体４ａの幅が、上に向かう途中から広くなっているものである。【０１３０】  上記、実施の形態１２を分かりやすく説明すると、次のようになる。【０１３１】  筆記具１の軸１ａまたはキャップ本体２ａの表面にクリップ３が設けてある。そのクリップ３の付け根部３ｂより上方で、筆記具１の軸１ａまたはキャップ本体２ａの表面に、片腕型フック専用付け根部４ｂが設けてある。【０１３２】  その片腕型フック専用付け根部４ｂから筆記具１の軸線に沿って上方に片腕型フック本体４ａが伸びている。片腕型フック専用付け根部４ｂと片腕型フック本体４ａとを合わせて片腕型フック本体４という。【０１３３】  引っ掛けた装飾体１６を外れにくくするために、片腕型フック本体４ａの幅がウチワ状、Ｔ字状、矢印状などのように、上に向かう途中から広くなっている。【０１３４】  片腕型フック本体４ａの形状はウチワ状、Ｔ字状、矢印状に限定される訳ではない。装飾体１６が外れにくくなるように、上に向かう途中から幅が広くなっていればよい。以上の構成からなる装飾体を取り付けられる筆記具。【０１３５】  図１７は本発明の実施の形態１２に適用する筆記具１の斜視図である。【０１３６】  （実施の形態１３）  実施の形態１３に係る装飾体を取り付けられる筆記具は、筆記具１の軸１ａまたはキャップ本体２ａの表面に弾性をもって設けられるクリップ３、そのクリップ３の付け根部３ｂと、その付け根部３ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４、その片腕型フック４がクリップ３と一体化して設けられ、さらに、引っ掛けた装飾体１６を外れにくくするために、片腕型フック本体４ａの一部が、筆記具１の軸１ａまたはキャップ本体２ａの表面に、４．１ｍｍ以内の、好ましくは２．１ｍｍ以内の距離を置いた位置まで近接し、より好ましくは当接しているものである。【０１３７】  図１８は本発明の実施の形態１３に適用する筆記具１の側面図である。【０１３８】  （実施の形態１４）  実施の形態１４に係る装飾体を取り付けられる筆記具は、筆記具１の軸１ａまたはキャップ本体２ａの表面に弾性をもって設けられるクリップ３、そのクリップ３の付け根部３ｂより上方で、筆記具１の軸１ａまたはキャップ本体２ａの表面に、片腕型フック専用付け根部４ｂと、その片腕型フック専用付け根部４ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４が設けられ、さらに、引っ掛けた装飾体１６を外れにくくするために、片腕型フック本体４ａの一部が、筆記具１の軸１ａまたはキャップ本体２ａの表面に４．１ｍｍ以内の、好ましくは２．１ｍｍ以内の距離を置いた位置まで近接し、より好ましくは当接しているものである。【０１３９】  図１９は本発明の実施の形態１４に適用する筆記具１の側面図である。【０１４０】  図２０は本発明の実施の形態１４に適用する別の筆記具１の側面図である。【０１４１】  （実施の形態１５）  実施の形態１５に係る装飾体を取り付けられる筆記具は、筆記具１の軸１ａまたはキャップ本体２ａの頂部表面に、引っ掛け用のループ１７が付いた小型ぬいぐるみなどの装飾体１６を引っ掛けるための片腕型フック４が設けられ、さらに、引っ掛けた装飾体１６を外れにくくするために、片腕型フック４の一部が、軸１ａまたはキャップ本体２ａの表面に４．１ｍｍ以内の、好ましくは２．１ｍｍ以内の距離まで接近し、より好ましくは当接しているものである。【０１４２】  図２１は本発明の実施の形態１５に適用する筆記具１の側面図である。【０１４３】  図２２は本発明の実施の形態１５に適用する別の筆記具１の側面図である。【０１４４】  （実施の形態１６）  実施の形態１６に係る装飾体を取り付けられる筆記具は、１号角部５ａと、その隣に並んで立っている２号角部５ｂとのよって構成された、引っ掛け用のループ１７が付いた小型ぬいぐるみなどの装飾体１６を引��掛けるための鬼に角型フック５、その鬼の角型フック５が筆記具１の軸１ａまたはキャップ本体２ａの頂部表面に設けられ、さらに、引っ掛けた装飾体１６を外れにくくするために、１号角部５ａの一部と、２号角部５ｂの一部が、４．１ｍｍ以内の、好ましくは２．１ｍｍ以内の距離まで接近し、より好ましくは両者が接触しているものである。【０１４５】  図２３は本発明の実施の形態１６に適用する筆記具１の側面図である。【０１４６】  （実施の形態１７）  実施の形態１７に係る装飾体を取り付けられる筆記具は、１号角部５ａと、その隣に立っている２号角部５ｂとによって構成された、引っ掛け用のループ１７が付いた小型ぬいぐるみなどの装飾体１６を引っ掛けるための鬼の角型フック５、その鬼の角型フック５が筆記具１の軸１ａまたはキャップ本体２ａの頂部表面に設けられ、さらに、引っ掛けた装飾体１６を外れにくくするために、１号角部５ａと２号角部５ｂとを、お互いが正反対の方向を向いた略逆し字形にし、横から見ると両者の最上部のシルエットが重なるような位置に設けたものである。【０１４７】  図２４は本発明の実施の形態１７に適用する筆記具１の正面図である。【０１４８】  図２５は図２４の筆記具１に設けられた鬼の角型フック５の斜視図である。【０１４９】  筆記具１の頂部表面を文字盤が上方を向いたアナログ時計にみたてると、図２４、図２５で図示した鬼の角型フック５は９時１５分の方向を向いている（前記文字板の６のインデックスの位置に筆記具１の付け根部３ｂがあるとする）。９時１５分は一例である。鬼の角型フック５は６時００分や８時１０分や５時５５分や４時５０分など、どの方向を向いていても構わない。【０１５０】  （実施の形態１８）  実施の形態１８に係る装飾体を取り付けられる筆記具は、筆記具１の軸１ａまたはキャップ本体２ａの表面に弾性をもって設けられるクリップ３、そのクリップ３の付け根部３ｂと、その付け根部３ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４、その片腕型フック４がクリップ３と一体化して設けられ、さらに、引っ掛けた装飾体１６を外れにくくするために、先端が片腕型フック本体４ａの上方にまでせり出しているひさし部７が、筆記具１の軸１ａまたはキャップ本体２ａの表面の、付け根部３ｂより上方に設けられているものである。【０１５１】  図２６は本発明の実施の形態１８に適用する筆記具１の側面図である。【０１５２】  （実施の形態１９）  実施の形態１９に係る装飾体を取り付けられる筆記具は、筆記具１の軸１ａまたはキャップ本体２ａの表面に弾性をもって設けられるクリップ３、そのクリップ３の付け根部３ｂより上方の、筆記具１の軸１ａまたはキャップ本体２ａの表面に設けられた、前方にせり出したひさし部７、そのひさし部７の下面に、付け根部３ｂの上面方向を向いた、引っ掛け用のループ１７が付いた小型ぬいぐるみなどの装飾体１６を引っ掛け、かつ、外れにくくするための３号フック機能的突起１５が突設しているものである。【０１５３】  図２７は本発明の実施の形態１９に適用する筆記具１の側面図で��る。【０１５４】  （実施の形態２０）  実施の形態２０に係る装飾体を取り付けられる筆記具は、本発明の実施の形態１８記載の片腕型フック本体４ａと対向してなる、引っ掛けた装飾体１６を外れにくくするための５号突起２０が、ひさし部７の下面に突設された、本発明の実施の形態１８記載のものである。【０１５５】  図２８は本発明の実施の形態２０に適用する筆記具１の側面図である。【０１５６】  （実施の形態２１）  実施の形態２１に係る装飾体を取り付けられる筆記具は、筆記具１の軸１ａまたはキャップ本体２ａの表面に弾性をもって設けられるクリップ３、そのクリップ３の付け根部３ｂより上方で、筆記具１の軸１ａまたはキャップ本体２ａの表面に、片腕型フック専用付け根部４ｂと、その片腕型フック専用付け根部４ｂから筆記具１の軸線に沿って上方に伸びた片腕型フック本体４ａとによって構成された、引っ掛け用のループ１７が付いた小型ぬいぐるみなどの装飾体１６を引っ掛けるための片腕型フック４が設けられ、さらに、引っ掛けた装飾体１６を外れにくくするために、先端が片腕型フック本体４ａの上方にまでせり出しているひさし部７が、筆記具１の軸１ａまたはキャップ本体２ａの表面の、片腕型フック専用付け根部４ｂより上方に設けられたものである。【０１５７】  図２９は本発明の実施の形態２１に適用する筆記具１の側面図である。【０１５８】  （実施の形態２２）  実施の形態２２に係る装飾体を取り付けられる筆記具は、筆記具１の軸１ａまたはキャップ本体２ａの表面に弾性をもって設けられるクリップ３、そのクリップ３の付け根部３ｂより上方の、筆記具１の軸１ａまたはキャップ本体２ａの表面に設けられた、前方にせり出した舌状部８、その舌状部８より上方で、筆記具１の軸１ａまたはキャップ本体２ａの表面に、前方にせり出したひさし部７が設けられ、さらに舌状部８の上面方向を向いた、引っ掛け用のループ１７が付いた小型ぬいぐるみなどの装飾体１６を引っ掛け、かつ、外れにくくするための３号フック機能的突起１５が、ひさし部７の下面に設けられたものである。【０１５９】  図３０は本発明の実施の形態２２に適用する筆記具１の側面図である。【０１６０】  （実施の形態２３）  実施の形態２３に係る装飾体を取り付けられる筆記具は、本発明の実施の形態２１記載の片腕型フック本体４ａと対向してなる、引っ掛けた装飾体１６を外れにくくするための５号突起２０が、本発明の実施の形態２１記載のひさし部７の下側に突設された、本発明の実施の形態２１記載のものである。【０１６１】  図３１は本発明の実施の形態２３に適用する筆記具１の側面図である。【０１６２】  本発明に適用する筆記具１に設けられる引っ掛け部材の数に制限はない。上記実施の形態１〜２３に適用する筆記具１に設けられている前記引っ掛け部材の数はそれぞれ１つずつだが、これらを組み合わせて、１本の筆記具１に複数の前記引っ掛け部材を設けても構わない。【０１６３】  例えば、本発明の実施の形態１記載のクリップ本体３ａの裏側に、実施の形態２記載の１号フック機能的突起１０を突設させた実施の形態１記載の筆記具１なら、付け根部３ｂの上下に１つずつ引っ掛け部材が設けてあるから、１本の筆記具１に２つの装飾体１６���取り付けることができる。付け根部３ｂの上方には裏側に安全ピンが付いた小型バッチなどを、付け根部３ｂの下方には引っ掛け用のループ１７が付いた小型ぬいぐるみなどを取り付けることができる。【０１６４】  （材料の説明）  本発明に適用する筆記具１の軸１ａ、キャップ本体２ａ、付け根部３ｂ、クリップ本体３ａ、片腕型フック専用付け根部４ｂ、片腕型フック本体４ａ、鬼の角型フック５、張り出し型フック６、ひさし部７、舌状部８、１号突起９、１号フック機能的突起１０、２号突起１１、２号フック機能的突起１２、３号突起１３、４号突起１４、３号フック機能的突起１５、５号突起２０の材料としては、合成樹脂、金属（ステンレス、真鍮、アルミ、チタンなど）、木（オーク、ブナ、カエデ、梨の木など）、ゴム（エボナイトなど）、カーボンファイバーなどや、これらの中からいつくかを組み合わせたものが挙げられるが、組み立てのしやすさやコストの面から合成樹脂の使用が望ましい。【０１６５】  材料として使用が望ましい合成樹脂の種類について説明する。本発明の実施の形態１に適用する筆記具１を例にとると、軸１ａまたはキャップ本体２ａと、付け根部３ｂ、クリップ本体３ａ、片腕型フック本体４ａ、１号突起９とを射出成形による一体成形で形成する場合、使用が望ましい材料は、ＰＰ（ポリプロピレン）、ＰＳ（ポリスチレン）、ＰＡ（ポリアミド）、ＡＳ樹脂（スチレンとアクリロニトリルとのランダム共重合体）、ＡＢＳ樹脂（アクリロニトリルとブタジエンとスチレンの共重合体）などの合成樹脂である。【０１６６】  軸１ａまたはキャップ本体２ａと、付け根部３ｂ、クリップ本体３ａ、片腕型フック本体４ａ、１号突起９とを別体のものとして一体に形成してから使用する場合、それぞれの部材に材料として使用が望ましい合成樹脂の種類について説明する。【０１６７】  軸１ａとして使用が望ましい材料は、ＰＰ、ＰＢＴ（ポリブチレンテレフタレート）、ＰＳ、ＰＭＭＡ（ポリメチルメタクリレート）、ＰＶＣ（塩化ビニル樹脂）、ＡＢＳ樹脂、ＡＳ樹脂などの合成樹脂である。【０１６８】  キャップ本体２ａとして使用が望ましい材料は、ＣｏＰＥＴ（共重合ポリエステルとＰＥＴ（ポリエチレンテレフタレート）樹脂のアロイ樹脂）、ＰＣ（ポリカーボネート）、弾性アクリル、ＰＰ、ソフトスチレン樹脂、ＰＯＭ（ポリアセタール）などの合成樹脂である。【０１６９】  付け根部３ｂ、クリップ本体３ａ、片腕型フック本体４ａ、１号突起９は射出成形による一体成形で形成することが望ましい。一体成形したこれらの部材として使用が望ましい材料は、ＰＣ、ＰＰ、ＰＥＴ、ＰＥ（ポリエチレン）、ＰＳ、ＣｏＰＥＴ、ＰＯＭ、アクリル、ＡＢＳ樹脂など及びこれらのアロイや弾性グレードや無機物や着色剤などを混練したものやそれらのリサイクル材などの合成樹脂である。なお、１号突起９はＮＢＲ（ニトリルブタジエンラバー）製やシリコンゴム製の別体とし、片腕型フック本体４ａと一体に形成してから使用するようにしても構わない。
［発明の効果］【０１７０】  本発明の効果について説明する。【０１７１】  （１）  装飾体を付けられる。【０１７２】  本発明により、衣服の胸ポケットなどに筆記具を差したとき、クリップ本体の表側またはクリップの上方に装飾体がくるように、装飾体を筆記具に付けることができる。それゆえ、筆記具に装飾体を付けた状態で、衣服の胸ポケットに差せば、装飾体を胸元に飾ることができる。【０１７３】  （２）  装飾体の付け替えを楽しめる。【０１７４】  本発明により、引っ張るだけで装飾体を筆記具から付けたり外したりできる。それゆえ、ユーザーは自分で気に入った装飾体を買ってきて、付け替えを楽しめる。【０１７５】  （３）  固くて大きな装飾体を付けても、クリップの挟持力が低下しない。【０１７６】  従来は筆記具のクリップ本体に固くて大きな装飾体（例えば、全長４ｃｍ、厚さ６ｍｍの金属製人形）を付けることはタブーだった。なぜなら、そんな装飾体をクリップ本体に付けてしまうと、クリップ本体の弾性が失われ、クリップの挟持力が低下してしまうからだ。本発明により、装飾体はループまたは安全ピンの部分だけで筆記具と繋がっている。そのため、固くて大きな装飾体を付けてもクリップ本体の弾性は失われない。それゆえ、クリップの挟持力は低下しない。【０１７７】  （４）  重い装飾体もタブーではなくなる。【０１７８】  従来は筆記具のクリップに重い（２０ｇ以上）装飾体を付けることはタブーだった。なせなら、重心が軸の中心から外れてしまい、書きづらい筆記具になってしまうからだ。本発明により、装飾体は筆記時に筆記具から外しておくことができる。そのため、金属製のブローチのような重い装飾体もタブーではなくなる。【０１７９】  （５）  ループ付き装飾体が斜めにならない。【０１８０】  本発明により、装飾体はループまたは安全ピンの部分だけで筆記具と繋がっている。装飾体は引っ掛け部材に引っ掛けられているだけで、接着剤などで固着はされていない。そのため、装飾体がループ付きのタイプの場合、筆記具がセーターのＶゾーンなどに斜めに差さっていても、装飾体自身は重力の働きにより鉛直方向を向き、斜めにはならない。【０１８１】  （６）  筆記具が転がりにくくなる。【０１８２】  クリップ付き筆記具のクリップの役目は衣服の胸ポケットなどに筆記具を挟持することである。だが、同時に筆記具が転がるのを防止する役目も持っている。しかし、筆記具のクリップは挟持力を確保するために弾性があることが必要で、クリップ本体が薄く形成されていることが多い。そのため、従来のクリップ付き筆記具を傾いた机の上などに置くと、クリップが転がり防止の役目を果たせず、机上から転がり落ちてしまうことがあった。本発明により、装飾体はループまたは安全ピンの部分だけで筆記具と繋がっている。そのため、装飾体がループ付きのタイプの場合、それを付けた筆記具を机上などに置くと、装飾体と筆記具が足を広げたコンパスのような形になるので、筆記具が転がりにくくなる。【０１８３】  （７）  誤飲しにくくなる。【０１８４】  従来の筆記具のキャップには小さな子供が誤飲したときのために通気孔が開けてあることが多い。しかし、そもそもキャップの誤飲は、たとえ、キャップに通気孔が開い���いてもしないほうが望ましい。キャップの誤飲をしてしまうのは、キャップが人間の喉（のど）よりも小さいからだ。本発明により、キャップよりも一回り以上大きなぬいぐるみなどの装飾体であってもキャップに付けられるようになるので、小さな子供がキャップを誤飲しにくくなる。【０１８５】  （８）  筆記具専用の装飾体をつくる必要がない。【０１８６】  市販の小さなぬいぐるみにはボール型チェーンを通すためにループが付いていることが多い。本発明により、このようなループの付いた小さなぬいぐるみを筆記具に付けることができるようになる。そのため、わざわざ筆記具専用の装飾体をつくる必要がなくなる。【０１８７】  （９）  製造工程数を増やす必要がない。【０１８８】  請求項７に係る装飾体を取り付けられる筆記具を例にとれば、付け根部、キャップ本体、フック本体、１号突起は合成樹脂の一体成形品として形成することができる。そのため、従来の筆記具（フック本体と１号突起のないクリップ付き筆記具）と比べて、製造工程数を増やす必要がない。【０１８９】  （１０）  ノックボタンを押すとき、装飾体が邪魔にならない。【０１９０】  ボールペンやシャープペンシルなどの筆記具のノックボタンは筆記具の頂部またはクリップ下方の軸表面に設けられていることが多い。請求項７に係る装飾体を取り付けられる筆記具を例にとれば、装飾体はクリップ本体の表側にくるので、ノックボタンを押すとき、装飾体が邪魔にならない。【０１９１】  （１１）  装飾体を外しても外観意匠性が損なわれない。【０１９２】  請求項７に係る装飾体を取り付けられる筆記具を例にとれば、１号突起は片腕型フック本体の裏側に突設しているので目立たない。そのため、装飾体を外した状態で筆記具を衣服の胸ポケットなどに差しても外観意匠性は損なわれない。
【図面の簡単な説明】
【０１９３】［図１］  本発明の実施の形態１に適用する筆記具１の側面図である。
［図２］  図１の筆記具１に装飾体１６を取り付けた状態の側面図である。
［図３］  装飾体１６の斜視図である。
［図４］  本発明の実施の形態１に適用する別の筆記具１の側面図である。
［図５］  本発明の実施の形態２に適用する筆記具１の側面図である。
［図６］  本発明の実施の形態２に適用する別の筆記具１の側面図である。
［図７］  本発明の実施の形態３に適用する筆記具１の側面図である。
［図８］  本発明の実施の形態４に適用する筆記具１の側面図である。
［図９］  本発明の実施の形態４に適用する別の筆記具１の側面図である。
［図１０］  本発明の実施の形態５に適用する筆記具１の側面図である。
［図１１］  本発明の実施の形態６に適用する筆記具１の側面図である。
［図１２］  本発明の実施の形態７に適用する筆記具１の側面図である。
［図１３］  本発明の実施の形態８に適用する筆記具１の側面図である。
［図１４］  本発明の実施の形態９に適用する筆記具１の側面図である。
［図１４］  本発明の実施の形態９に適用する筆記具１の側面図である。
［図１５］  本発明の実施の形態１０に適用する筆記具１の斜視図である。
［図１６］  本発明の実施の形態１１に適用する筆記具１の斜視図である。
［図１７］  本発明の実施の形態１２に適用する筆記具１の斜視図である。
［図１８］  本発明の実施の形態１３に適用する筆記具１の側面図である。
［図１９］  本発明の実施の形態１４に適用する筆記具１の側面図である。
［図２０］  本発明の実施の形態１４に適用する別の筆記具１の側面図である。
［図２１］  本発明の実施の形態１５に適用する筆記具１の側面図である。
［図２２］  本発明の実施の形態１５に適用する別の筆記具１の側面図である。
［図２３］  本発明の実施の形態１６に適用する筆記具１の側面図である。
［図２４］  本発明の実施の形態１７に適用する筆記具１の正面図である。
［図２５］  図２４の筆記具１に設けられた鬼の角型フック５の斜視図である。
［図２６］  本発明の実施の形態１８に適用する筆記具１の側面図である。
［図２７］  本発明の実施の形態１９に適用する筆記具１の側面図である。
［図２８］  本発明の実施の形態２０に適用する筆記具１の側面図である。
［図２９］  本発明の実施の形態２１に適用する筆記具１の側面図である。
［図３０］  本発明の実施の形態２２に適用する筆記具１の側面図である。
［図３１］  本発明の実施の形態２３に適用する筆記具１の側面図である。
［図３２］  従来例を示す斜視図である。
［図３３］  別の従来例を示す斜視図である。
【符号の説明】
【０１９４】  １        筆記具
１ａ      軸
２        キャップ
２ａ      キャップ本体
３        クリップ
３ａ      クリップ本体
３ｂ      付け根部
４        片腕型フック
４ａ      片腕型フック本体
４ｂ      片腕型フック専用付け根部
５        鬼の角型フック
５ａ      １号角部
５ｂ      ２号角部
６        張り出し型フック
７        ひさし部
８        舌状部
９        １号突起
１０        １号フック機能的突起
１１        ２号突起
１２        ２号フック機能的突起
１３        ３号突起
１４        ４号突起
１５        ３号フック機能的突起
１６        装飾体
１７        ループ
１８        １号境界線
１９        ２号境界線
２０        ５号突起
４０        筆記具
４０ａ      軸
４１        クリップ
４１ａ      クリップ本体
４１ｂ      付け根部
４２        ノックボタン
４３        ペン先
４４        装飾体
４５        突起
４６        筆記具
４６ａ      軸
４７        クリップ
４７ａ      クリップ本体
４７ｂ      付け根部
４８        ノックボタン
４９        ペン先
５０        装飾体
５１        着脱自在テープ
【図１】
2006123489.tif 000003
【図２】
2006123489.tif 000004
【図３】
2006123489.tif 000005
【図４】
2006123489.tif 000006
【図５】
2006123489.tif 000007
【図６】
2006123489.tif 000008
【図７】
2006123489.tif 000009
【図８】
2006123489.tif 000010
【図９】
2006123489.tif 000011
【図１０】
2006123489.tif 000012
【図１１】
2006123489.tif 000013
【図１２】
2006123489.tif 000014
【図１３】
2006123489.tif 000015
【図１４】
2006123489.tif 000016
【図１５】
2006123489.tif 000017
【図１６】
2006123489.tif 000018
【図１７】
2006123489.tif 000019
【図１８】
2006123489.tif 000020
【図１９】
2006123489.tif 000021
【図２０】
2006123489.tif 000022
【図２１】
2006123489.tif 000023
【図２２】
2006123489.tif 000024
【図２３】
2006123489.tif 000025
【図２４】
2006123489.tif 000026
【図２５】
2006123489.tif 000027
【図２６】
2006123489.tif 000028
【図２７】
2006123489.tif 000029
【図２８】
2006123489.tif 000030
【図２９】
2006123489.tif 000031
【図３０】
2006123489.tif 000032
【図３１】
2006123489.tif 000033
【図３２】
2006123489.tif 000034
【図３３】
2006123489.tif 000035